(57)【要約】【課題】粉末状の消臭剤において、この消臭剤を素早く水に溶解させること【解決手段】殺菌成分及び発泡成分を含む粉末を水溶性フィルムに包装して消臭剤を構成し、例えば電車などの設置され、便器側の圧力よりも汚物タンク側の圧力を低くすることにより便器側から汚物を汚物タンクに吸引する吸引式トイレの水が貯留されている汚物タンクに投入して使用する。この場合、発泡成分が発泡してその撹拌作用により殺菌成分を素早く溶解させることができるので、素早く殺菌されて消臭がなされる。更に水溶性フィルムで包装されているので取り扱いが簡単になる。【選択図】  図１
2004188235.tif 000002
【特許請求の範囲】
【請求項１】
殺菌成分及び発泡成分を含む粉末を水溶性フィルムに包装してなることを特徴とする消臭剤。
【請求項２】
便器内を洗浄する洗浄水が循環使用されないトイレに用いられるものであることを特徴とする請求項１記載の消臭剤。
【請求項３】
便器側の圧力よりも汚物タンク側の圧力を低くすることにより便器側から汚物を汚物タンクに送るトイレに使用されるものであることを特徴とする請求項２記載の消臭剤。
【請求項４】
便器と汚物タンクとの間に設けられる排出路の汚物タンク側を吸引するトイレに使用されるものであることを特徴とする請求項３記載の消臭剤。
【請求項５】
トイレは乗り物用のトイレであることを特徴とする請求項１ないし４のいずれかに記載の消臭剤。
【請求項６】
便器側の圧力よりも汚物タンク側の圧力を低くすることにより便器側から汚物を汚物タンクに送り、便器内を洗浄する洗浄水が循環使用されないトイレにおいて、水が貯留されている汚物タンクに請求項１ないし５のいずれかに記載の消臭剤を投入することを特徴とする消臭剤の使用方法。
【請求項７】
請求項１ないし５のいずれかに記載の消臭剤を便器を介して汚物タンクに投入することを特徴とする請求項６記載の消臭剤の使用方法。
【請求項８】
前記汚物タンク内は、減圧手段により減圧排気されていることを特徴とする請求項６または７記載の消臭剤の使用方法。
【発明の詳細な説明】
【０００１】
【発明の属する技術分野】
本発明は、例えばトイレに使用される粉末状の消臭剤、及び消臭剤の使用方法に関するものである。
【０００２】
【従来の技術】
電車、船舶、飛行機、バスや駅などの交通機関、公園、海岸などの公共施設に設置される例えば循環式トイレ等においては、し尿が腐敗して悪臭を発生する。特にし尿濃度が高い場合、長時間貯留した場合、あるいは気温が高い場合には使用者、付近の住民などに不快感を与えるため、その対策が要請される。
【０００３】
そこで従来からこの種の不快臭を抑制するために消臭剤を使用している。この消臭剤は、液体状のものや粉体状のものが市販されているが、液体状の消臭剤は、使用の際に、容器からの液垂れや、容器の転倒等による液漏れによって、手に付着して皮膚を損傷したり、また床等を汚しやすい等の問題があり、現在は使用時の取り扱いが容易な粉体状の消臭剤が主流を占めている。
【０００４】
このような粉末状の消臭剤としては、殺菌剤、界面活性剤、安定剤及び着色剤を含む粉末を水溶性フィルムに包装したものが知られている（例えば、特許文献１参照。）。循環式トイレは、洗浄液により便器内が洗い流され、し尿等は汚物タンクへと流れ、次にトイレを使用するときに汚物タンク内の液体が濾過器を通って循環パイプを介して再度便器へ洗浄液として供給されるようになっている。このような循環式トイレにおいては、水溶性フィルムごと便器の穴に投入され、水溶性フィルムが汚物タンク内で溶解するため、便器、汚物タンク及び途中の配管内の殺菌、洗浄が速やかに行われる。
【０００５】
【特許文献１】
特開平６−１２６１６９号公報（第２−４頁、第２図）
【０００６】
【発明が解決しようとする課題】
ところで最近において例えば列車では循環式トイレに代えて真空式（吸引式）トイレが使用されるようになってきている。この真空式トイレは、便器と汚物タンクとを連結する配管について、その入り口側の圧力を出口側の圧力よりも低くすることにより少量の水で汚物を汚物タンク側に吸引しようとするものであり、汚物タンクに張り込んだ水は循環されない。このため強制的に形成される循環水の水流による撹拌作用を利用して溶解されていた消臭剤が真空式では未溶解のまま残ってしまい、そのため消臭が充分になされない場合がある。このような理由から従来の循環式トイレには不適当として使われていなかった液体の消臭剤が真空式トイレに使われている。
【０００７】
本発明はこのような事情の下になされたものであり、その目的は粉末状の消臭剤において、素早く水に溶解することのできる消臭剤および、その使用方法を提供することにある。
【０００８】
【課題を解決するための手段】
本発明の消臭剤は、殺菌成分及び発泡成分を含む粉末を水溶性フィルムに包装してなることを特徴とする。
【０００９】
本発明の消臭剤によれば、殺菌成分および発泡成分を含む粉末を水溶性フィルムで包装した構成とすることにより、例えば吸引式トイレの汚物タンクに投入されると、発泡成分が発泡してその撹拌作用により殺菌成分を素早く溶解させることができる。その結果例えばし尿を腐敗させる細菌が素早く殺菌されて消臭がなされる。更に水溶性フィルムで包装されているのでそのまま投入するだけでよく作業者の負担を少なくすることができる。
【００１０】
前記消臭剤は、例えば便器内を洗浄する洗浄水が循環使用されないトイレに用いられるものであってもよい。また便器側の圧力よりも汚物タンク側の圧力を低くすることにより便器側から汚物を汚物タンクに送るトイレに使用されるものであってもよい。更に便器と汚物タンクとの間に設けられる排出路の汚物タンク側を吸引するトイレに使用されるものであってもよい。更にまた前記トイレは例えば乗り物用のトイレであってもよい。
【００１１】
また本発明の消臭剤の使用方法は、便器側の圧力よりも汚物タンク側の圧力を低くすることにより便器側から汚物を汚物タンクに送り、便器内を洗浄する洗浄水が循環使用されないトイレにおいて、水が貯留されている汚物タンクに前記した消臭剤を投入することを特徴とする。この消臭剤を例えば便器を介して汚物タンクに投入するようにしてもよい。更に前記汚物タンク内は、減圧手段により減圧排気されていてもよい。
【００１２】
【実施の形態】
本発明に係る消臭剤の実施の形態について説明する。この消臭剤は、殺菌成分および発泡成分を含む粉末群であり、例えばポリビニルアルコールからなる水溶性フィルムに包装されている。この粉末は、殺菌成分からなる粉末および発泡成分からなる粉末を混合した混合粉であり、これら各成分の含有割合は、粉末全体に対する殺菌成分および発泡成分の合計量に対する発泡成分の含有割合が好ましくは５０重量％以上であり、殺菌成分および発泡成分の合計量に対する発泡成分の含有割合が３０〜７０重量％、好ましくは４０〜６０重量％に設定されている。また当該粉末は、他の成分として例えば硫酸マグネシウムなどの増量成分および着色色素などを含有させてもよい。
【００１３】
前記殺菌成分の具体例としては、例えば飽和脂肪族ニトロアルコールのブロム誘導体であり、例えば２−ブロモ−２−ニトロエタノール、２−ブロモ−２−ニトロプロパン−１，３−ジオール、２−ブロモ−２−ニトロプロパノール、１−ブロモ−１−ニトロプロパノール、１，４−ジブロモ−１，４−ジニトロブタンジオール−２，３、１−ブロモ−１−ニトロ−２−メチルプロパノール−２および塩化セチルピリジニウムから少なくともいずれか一つが選択される。
【００１４】
また前記発泡成分は例えば有機酸と炭酸塩との混合物からなり、この有機酸としては、例えばリンゴ酸、スルファミン酸、コハク酸、クエン酸、マレイン酸から少なくともいずれか一つが選択される。更に炭酸塩としては、例えば炭酸水素ナトリウム、炭酸ナトリウム、炭酸カリウム、炭酸カルシウムから少なくともいずれか一つが選択される。
【００１５】
続いて消臭剤の製造方法の一例を説明するが、本発明に係る消臭剤においては上述の構成を満たしておればよく、以下に示す製造方法に限定されるものではない。先ず、例えば殺菌成分からなる粉末と、発泡成分からなる粉末と、必要ならば他の成分からなる粉末とを撹拌混合装置に投入し、これらの粉末が充分に混合されるように例えば数分間撹拌混合する。しかる後、この混合された粉末を所定量例えば１００ｇ、１５０ｇ又は２５０ｇ毎に水溶性フィルムからなる袋（内装）に充填し、空気を抜いてから袋の開口部をヒートシールして密栓する。粉末の充填量は、この消臭剤の用途によって決めるのが好ましい。更に続いて当該粉末は例えばポリプロピレンのような防湿性フィルムからなる袋（外装）に入れられ袋の開口部をヒートシールしてから販売等されることとなる。
【００１６】
続いて上述の消臭剤の使用例として、例えば例えば乗り物用のトイレ、例えば列車の車内に設けられる吸引式トイレに使用する方法について説明する。まず吸引式トイレの概略について図１を参照しながら簡単に述べておくと、吸引式トイレには便器１０と、し尿等を貯留するための汚物タンク１１とが設けられており、この便器１０と汚物タンク１１とは排出路１２を介して接続されている。前記排出路１２の途中には例えば自動バルブ１３が設けられており、通常は閉じられているが洗浄タンク１４から洗浄水が便器１２に供給される際に開くように構成されている。また汚物タンク１１には排気路１５が設けられ、更に当該排気路１５の途中には汚物タンク１１内を減圧するための減圧手段例えばエジェクター１６が設けられており、このエジェクター１６に例えば図示しない供給源から圧縮空気などの減圧駆動流体が供給されて汚物タンク１１内が減圧排気されるように構成されている。このように汚物タンク１１内を減圧排気する構成にすれば、この汚物タンク１１内の雰囲気が便器側へ戻らないので、トイレの使用者が悪臭を感じることをより確実に少なくできるので得策である。
【００１７】
このような吸引式トイレにおいては、先ず、槽容量の１／１０程度の水が満たされた汚物タンク１１に対して、外装の防湿性フィルムが取り除かれた消臭剤を便器１０に投入し、排出路１２を介して汚物タンク１１に供給する。この種のトイレにおいては、便器内１０内を洗浄する洗浄水の１回の使用量が例えば３００ｍｌ以下、好ましくは２００ｍｌ以下と少量であり、消臭剤はこの少量の洗浄水と共に便器から汚物タンク１１に供給される。このようにして消臭剤が汚物タンク１１に投入されると、先ず内装の水溶性フィルムが水に溶解し、更に水と反応した発泡成分が発泡する。このとき殺菌成分からなる粉末はこの発泡成分から発生する細かい気泡により撹拌されで水中に分散し、水との接触率が高くなり素早く溶解する。更に発泡成分から発生する気泡のリフト作用により上昇流（水流）が形成され、この水流の撹拌作用により殺菌成分が貯留槽内の液全体に広がる。そしてトイレ使用時に貯留されるし尿を腐敗させる細菌が当該殺菌成分により殺菌されて消臭がなされることとなる。
【００１８】
上述の実施の形態によれば、殺菌成分および発泡成分を含む粉末を水溶性フィルムで包装した構成とすることにより、例えば吸引式トイレの汚物タンク１１に投入されると、粉末に含まれる発泡成分が水と反応して発泡し、発生した気泡の撹拌作用により殺菌成分が素早く溶解して液中に当該殺菌成分を広げることができる。このため例えばし尿を腐敗させる細菌が素早く殺菌されて消臭がなされる。更に水溶性フィルムで所定量の粉末が包装されているので、投入するときに手に粉末が付着することが少なく、そのまま便器１０に投入するだけでよいので作業に手間がかからない。そのため取り扱いが簡単であり作業者の負担を少なくすることができる。
【００１９】
本発明の消臭剤においては、殺菌成分および発泡成分の各々の成分からなる粒子の混合粉に限られず、例えば両成分を予め混合してから造粒された複合粉であってもよい。この場合であっても発泡成分の撹拌作用により殺菌成分が素早く溶解するので上述の場合と同様の効果を得ることができる。また本発明の消臭剤においては、粉末を固めた成型体としてもよい。このような構成であっても発泡成分が発泡して空隙が形成されることで水との接触性が高められ、殺菌成分が素早く溶解するので上述の場合と同様の効果を得ることができる。なお、先に吸引式トイレでの使用例を述べているが、更に本発明の消臭剤においては循環式トイレに使用しても同様の作用効果が得られるのは言うまでもない。その他、本発明の消臭剤の使用例として、ポータブルトイレに使用することが一例として挙げられる。更に便器側の圧力よりも汚物タンク側の圧力を低くすることにより便器側から汚物を汚物タンクに送るために、上述の例では排出路１２における汚物タンク１１側を吸引しているが、排出路１２における便器１０側から加圧空気を供給するようにしてもよい。
【００２０】
【実施例】
続いて本発明の効果を確認するために行った実施例について説明する。
（実施例１）
本例は、本発明に係る消臭剤の溶解性を確認するために行った実施例である。先ず１０ｇの粉末が充填された消臭剤を準備した。この消臭剤に含まれる殺菌成分である２−ブロモ−２−ニトロプロパン−１，３−ジオールは４５重量％であり、発泡成分には有機酸であるスルファミン酸が２５重量％、炭酸塩である炭酸ナトリウムが２５重量％含まれており、粉末全体に対して発泡成分は５０重量％（殺菌成分および発泡成分の合計量に対して約５３重量％）であった。また他の成分として、硫酸マグネシウムが５重量％および、青色色素が僅かに含まれていた。水温２０℃の水を８リットル満たした１０リットルの容器内に、外装を取り除いてから消臭剤を投入して略全てが溶解するまでの時間を測定した。溶解したかの判断は目視によって行った。
【００２１】
（比較例１）
本例は、発泡剤を含まないことを除いて実施例１と同じ比較例である。消臭剤は、実施例１のものから発泡成分を除いた殺菌成分からなる５ｇの粉末が充填された消臭剤であった。
【００２２】
（実施例１、比較例１の結果と考察）
実施例１では、消臭剤を投入してから数秒後に発泡し始め、１分以内に全て溶解した。また溶解後の容器内の水は、消臭剤に配合している青色色素により青色になっていた。一方、比較例１では、消臭剤を投入してから１０分が経過しても未溶解粉末の塊が容器内に残っていた。また容器内の水は、容器の底部付近だけが青く澱んでおり、容器の底部に溶解成分が濃縮していた。以上の結果から、本発明に係る消臭剤は、素早く水に溶解して液中に広がることが確認された。
【００２３】
【発明の効果】
以上のように本発明によれば、殺菌成分および発泡成分を含む粉末を水溶性フィルムで包装した構成としているので、発泡成分が発泡したときの撹拌作用により殺菌成分を素早く溶解させることができる。更に水溶性フィルムで包装されているのでそのまま投入するだけでよく、作業者の負担を少なくすることができる。
【図面の簡単な説明】
【図１】本発明に係る消臭剤を使用する吸引式トイレを示す説明図である。
【符号の説明】
１０      便器
１１      汚物タンク
１４      洗浄タンク
１６      エジェクター
【図１】
2004188235.tif 000003